(57)【要約】【課題】複数の発光色の異なる光源を備えた表示手段を設けたものにおいて、中間色を簡単に調節し得る様にする事を目的とするものである。【解決手段】調理容器を載置する透光性の天板２と、この天板の下方に配設した誘導加熱コイル３と、この誘導加熱コイルに高周波電力を供給するインバータ回路５６，６６と、誘導加熱コイルの火力等を表示する表示手段１４と、インバータ回路の入力電力や表示手段等を制御する制御回路３８，３９，４３とを備え、表示手段の光源１２，１３を発光色の異なる複数個のランプで構成し、これらのランプを同時に点灯して中間色を発光するものにおいて、制御回路に、光源の中間色の色調を調節する調節手段７４を設けたものである。【選択図】　　図４
2004103286.tif 000002
【特許請求の範囲】
【請求項１】
調理容器を載置する透光性の天板と、この天板の下方に配設した誘導加熱コイルと、この誘導加熱コイルに高周波電力を供給するインバータ回路と、上記誘導加熱コイルの火力等を表示する表示手段と、上記インバータ回路の入力電力や表示手段等を制御する制御回路とを備え、かつ上記表示手段の光源を発光色の異なる複数個のランプで構成し、これらのランプを同時に点灯して中間色を発光するものにおいて、上記制御回路に、上記光源の中間色の色調を調節する調節手段を設けた事を特徴とする電磁調理器。
【請求項２】
上記誘導加熱コイルの火力等を操作部に設けた入力手段より入力する様に構成すると共に、上記調節手段を、上記入力手段からの入力操作により調節する様に構成した事を特徴とする、上記請求項１に記載の電磁調理器。
【請求項３】
上記表示手段を複数配置すると共に、これらの表示手段を同じ中間色に発光する様に構成し、かつ上記調節手段を、上記表示手段の中間色を略同じ色に調整し得る様に構成した事を特徴とする、上記請求項１〜２に記載の電磁調理器。
【請求項４】
上記制御回路を、上記調節手段による調節内容を記憶する様に構成した事を特徴とする、上記請求項１〜３に記載の電磁調理器。
【請求項５】
上記制御回路を、上記光源のデューティー比を制御することにより色調を調整する様に構成した事を特徴とする、上記請求項１〜４に記載の電磁調理器。
【発明の詳細な説明】
【０００１】
【発明の属する技術分野】
本発明は、光源を備えた火力等を表示する表示手段を配置した電磁調理器に関する。
【０００２】
【従来の技術】
電磁調理器では、例えばガスバーナの様に使用中に熱源が発光しない為、熱源を目視しても動作状態が判り難いという問題があり、例えば特許文献１に示される様に、加熱コイルの外周囲に発光手段を設け、加熱コイルに通電して加熱中には発光手段を発光させ、動作状態を判り易く構成したものがある。
【０００３】
一方、上記発光手段の光源に発光色の異なる複数のランプを使用し、これらのランプを同時に点灯して中間色を発光する場合、ランプの製造上の特性により発光色にばらつきが生じ、各製品を同じ中間色に設定するには、ランプを選別して使用する必要があり、生産性を低下させるという問題がある。
【０００４】
【特許文献１】
特開２００１−１６０４８３号公報
【０００５】
【発明が解決しようとする課題】
そこで本発明は、表示手段の中間色の色調を簡単に調整し得る様にする事を目的とするものである。
【０００６】
【課題を解決するための手段】
本発明は、調理容器を載置する透光性の天板と、この天板の下方に配設した誘導加熱コイルと、この誘導加熱コイルに高周波電力を供給するインバータ回路と、誘導加熱コイルの火力等を表示する表示手段と、インバータ回路の入力電力や表示手段等を制御する制御回路とを備え、かつ表示手段の光源を発光色の異なる複数個のランプで構成し、これらのランプを同時に点灯して中間色を発光するものにおいて、制御回路に光源の中間色の色調を調節する調節手段を設けたものである。
【０００７】
又本発明は、誘導加熱コイルの火力等を操作部に設けた入力手段より入力する様に構成すると共に、調節手段を入力手段からの入力操作により調節する様に構成したものである。
【０００８】
そして又本発明は、表示手段を複数配置すると共に、これらの表示手段を同じ中間色に発光する様に構成し、かつ調節手段を表示手段の中間色を略同じ色に調整し得る様に構成したものである。
【０００９】
更に本発明は、制御回路を調節手段による調節内容を記憶する様に構成したものである。
【００１０】
そして更に本発明は、制御回路を光源のデューティー比を制御することにより色調を調整する様に構成したものである。
【００１１】
【発明の実施の形態】
本発明の実施例を、先ず図１に基づき説明すると、１は例えばシステムキッチン等にドロップイン方式にて組み込んで使用する電磁調理器本体で、上面に透光性で耐熱ガラス製の天板２を装着していると共に、この天板の下方内部に、熱源となる左右一対の円盤状の誘導加熱コイル３，３とラジェントヒータ４を内蔵している。
【００１２】
又、上記電磁調理器本体１内の前面右側には、操作部を構成する操作パネル５を配設していると共に、この操作パネルの左側にはグリル６用の扉７を引き出し自在に配設し、かつ天板２の上記熱源３，３，４の上方部分には、図示しない調理容器の載置部分を示す加熱枠８，８，９を印刷により設けている。
【００１３】
更に、上記誘導加熱コイル３，４の外周囲手前には、円弧状の透明窓１０，１０を設けると共に、この透明窓の下方に対向して断面が四角形で円弧帯状の透明樹脂材料等により形成した導光板１１，１１を配置し、かつこれら導光板の両端部には、図２にても示す様に例えば一対の発光色の異なるＬＥＤランプにて構成した光源１２，１３・・を対向配置し、これらにて動作状態表示用の表示手段１４，１４を構成している。
【００１４】
尚、上記天板２の外表面には、上記透明窓１０，１０の部分を除いて石目模様等の印刷を施し、又上記導光板１１，１１は、その底面に長手方向の略中心部分の深さが最も深くなる様に複数の略逆Ｖ字状の反射溝１５・・を所定の間隔を置いて一体形成し、これら反射溝によって上記光源１２，１３・・から放射した光が散乱し、発光面１６にストライプ状の模様１７・・を描き、誘導加熱コイル３，４に通電して加熱中には、表示手段１４，１４を点灯して模様を表示し、視覚により加熱中を表示する。
【００１５】
又、上記実施例では、光源１２，１３に例えば赤色と緑色のＬＥＤランプを利用し、これらを単独に点灯して、例えば火力が弱い時には緑色、火力が強い時には赤色に点灯すると共に、火力が中位の時には同時に点灯して橙色の中間色を発光する様に構成しているが、これに限定されることなく、蛍光ランプ、ハロゲンランプ等を用いても良く、かつ一対用いているが、多色発光のランプを１個用いても良い。
【００１６】
図３は上記操作パネル５を示すもので、全体を主に左右方向に３区画に分けていると共に、右上の端には左右シーソー式の電源スイッチ１８を設け、かつ上記３区画の左端を左側の誘導加熱コイル３の操作用、中央をグリル６及びラジェントヒータ４の操作用、右端を右側の誘導加熱コイル３の操作用に設定している。
【００１７】
そして、上記３区画の各上部には表示手段となる液晶パネルで構成した表示器１９，２０，２１を配設していると共に、これら表示器の下には取消キー２２・・と時間設定キー２３・・、分設定キー２４・・を各々横一列に配置し、かつ中央の上記各キー２２，２３，２４の下には、上記グリル６内のヒータへの通電をオン・オフする運転キー２５と火力設定キー２６を配置し、右側の上記各キー２２，２３，２４の下には揚げ物調理を設定する揚げ物キー２７を配置している。
【００１８】
又、上記３区画の最も下にはプッシュプッシュ操作並びに回転操作可能な運転及び火力設定用の摘み２８，２９，３０を配置し、プッシュプッシュ操作により、摘みを引き出すと誘導加熱コイル３，３やラジェントヒータ４への通電を開始し、押し込むと運転を停止し、引き出し位置で回転操作すると火力を設定出来る様に構成し、上記の各キー２２・・、２３・・、２４・・、２５，２６，２７や摘み２８，２９，３０により入力手段を構成している。
【００１９】
尚、上記表示器１９，２０，２１は、図示しない発光色の異なる複数のＬＥＤランプにて構成した後述のバックライトを備え、ＬＥＤランプを単独に点灯したり、同時に点灯して中間色を発光する様に構成している。
【００２０】
図４は、上記誘導加熱コイル３，３等への通電を制御する回路ブロック図を示すもので、商用の２００Ｖ電源３５に、フィルター回路３６と上記電源スイッチ１８を介して入力電力モニター回路３７，３７を接続すると共に、これらの出力に右コンロ用制御回路３８と左コンロ用制御回路３９を接続している。
【００２１】
又、上記フィルター回路３６の出力には、自己保持用のリレー接点４０を介してメイン及び右コンロ用の電源回路４１と左コンロ用電源回路４２を接続し、かつこのメイン及び右コンロ用の電源回路にはメイン用制御回路４３と上記右コンロ用制御回路３８を接続し、左コンロ用電源回路４２には上記左コンロ用制御回路３９を接続している。
【００２２】
上記右コンロ用制御回路３８、左コンロ用制御回路３９、メイン用制御回路４３は各々マイクロコンピュータにより構成し、メイン用制御回路４３の入力ポートには上記操作パネル５に配置した各キーのオン操作を検出するキー入力回路４４と、上記摘み２８，２９，３０のプッシュ操作によるオン・オフ操作並びに回転操作による火力設定や湯沸しモードの設定を検出する摘み検出回路４５とを接続し、同じく出力ポートにはＬＥＤ駆動回路４６を介して上記光源１２，１３・・を接続し、冷却ファン駆動回路４７を介して上記電磁調理器本体１内に装着した冷却ファン４８を接続し、かつリレー駆動回路５０を介して上記リレー接点４０を駆動する電源リレー駆動回路５１を接続し、更に報知用のブザー５２を接続している。
【００２３】
又、上記メイン用制御回路４３の入出力ポートには、通信ライン５３により上記右コンロ用制御回路３８及び左コンロ用制御回路３９を接続すると共に、上記操作パネル５に配置した表示器１９，２０，２１を駆動するＬＣＤドライバー５４を接続し、かつこのＬＣＤドライバーには上記表示器１９，２０，２１と、これら表示器のバックライト３１・・を、ＬＥＤ駆動回路３２を介して接続している。
【００２４】
一方、上記右コンロ用制御回路３８の出力ポートにはＩＧＢＴ駆動回路５５を介して上記右側の誘導加熱コイル３に高周波電力を供給するインバータ回路５６を接続すると共に、グリル下ヒータ駆動回路５７を介して上記グリル６内の下部に配置したグリル下ヒータ５８を接続し、かつラジェントヒータ駆動回路５９を介して上記ラジェントヒータ４を接続している。又、上記右コンロ用制御回路３８の入力ポートには、ラジェント温度検出回路６０を介して上記ラジェントヒータ４の適所に配置したサーモスタット６１と、温度検出回路６２を介して右側の誘導加熱コイル３の略中央部に配置した鍋底サーミスタ６３と、各種データ記憶用の不揮発性メモリ６４を接続している。
【００２５】
更に、上記左コンロ用制御回路３９の出力ポートには、ＩＧＢＴ駆動回路６５を介して上記左側の誘導加熱コイル３に高周波電力を供給するインバータ回路６６と、グリル上ヒータ駆動回路６７を介してグリル６内の上部に配置したグリル上ヒータ６８と、データ記憶用の不揮発性メモリ６９を接続している。又、左コンロ用制御回路３９の入力ポートには、温度検出回路７０を介して上記グリル６内に配置した上サーミスタ７１、下サーミスタ７２、左側の誘導加熱コイル３の略中央部に配置した鍋底サーミスタ７３を接続している。
【００２６】
一方、上記メイン用制御回路４３には、発光手段１４，１４の光源１２，１３やバックライトの中間色の色調を調節する調節手段７４を備え、通常では操作されることがない、例えば揚げ物キー２７を５回連続オン操作することで、上記調節手段７４が調節モードの選択を検出し、摘み３０を押して引き出すと右側の表示手段１４を構成する光源１２，１３・・を同時に点灯して中間色を表示する。そこで、摘み３０を左右に回転操作すると、光源１２，１２又は１３，１３の輝度を増減して中間色の色調を調節出来るものである。尚、上記と同様に摘み２８を引き出して回転操作すれば左側の表示手段１４を構成する光源１２，１３・・の中間色を調節する事が出来る。
【００２７】
更に上記メイン用制御回路４３は、例えば電源スイッチ１８をオフすると調節モードを解除する様に構成し、かつオフすると所定時間リレー接点４０を継続して閉じて各制御回路３８，３９，４３に通電し、不揮発性メモリ６４，６９等に調節後のデータを記憶し、次回の使用時以降、記憶内容で光源１２，１３・・を制御する様に構成している。
【００２８】
上記構成により、光源１２，１３・・を構成するＬＥＤランプ等の製造上の特性により中間色の色調がばらついても、比較的簡単に補正することが出来、ランプの部品選別による色合わせ等を行う必要がなく、生産性を大幅に向上する事が出来るものである。
【００２９】
又、操作部５に配置された入力手段を利用して色調を調節する様に構成したことで、器具を分解することなく比較的簡単に調節作業を行う事が出来るものである。
【００３０】
更に、調節結果を記憶する様に構成したことで、電源を遮断しても調節し直す必要がなく、かつ器具の長時間の使用より色調が変化した場合にも、簡単に調節する事が出来るものである。
【００３１】
尚、上記実施例では揚げ物キー２７の連続操作により調整モードの選択を行い、摘み３０の操作により右側の表示手段１４の中間色の調整、摘み２８の操作によって左側の表示手段１４の中間色の調整を行う様に構成しているが、これらに限定されることなく、運転キー２５と火力設定キー２６と揚げ物キー２７を同時にオン操作する等により調整モードの選択を行ったり、時間設定キー２３・・や分設定キー２４・・により中間色の調整を行う様に構成しても良い。
【００３２】
尚、図５は上記ＬＥＤ駆動回路３２，４６と調節手段７４の実施例を示すもので、光源１２，１３・・をＬＥＤ駆動回路３２，４６を構成するスイッチング素子７５・・に接続し、かつこれらスイッチング素子のベースをメイン用制御回路４３又はＬＣＤドライバー５４の出力ポートに接続し、この出力ポートの出力にて図６の（ａ）（ｂ）にて示す様にスイッチング素子７５・・をデューティー制御することで、これらの輝度を調節して中間色を調整する。
【００３３】
上記構成により、光源の輝度を調節するで中間色の色調を調節する様に構成したことで、調節回路をスイッチング素子と抵抗の組み合わせ等、比較的簡単な回路構成で達成する事が出来るものである。
【００３４】
【発明の効果】
本発明の構成により、表示手段を構成する光源の中間色を調節する調節手段を設けたことで、光源の製造上の特性等により器具毎に中間色が相違しても、調節手段により調節することで、光源用部品等の選別を行う必要がなく、生産性を大幅に向上する事が出来るものである。
【００３５】
又本発明の構成により、操作部に設けた入力手段を利用して調節手段を操作する様に構成したことで、器具を分解することなく、比較的簡単に中間色を調節する事が出来るものである。
【００３６】
そして又本発明の構成により、複数の表示手段を備えたものにおいても、調節手段により比較的簡単に表示手段の中間色を同じに調節する事が出来、商品の品質を高める事が出来るものである。
【００３７】
更に本発明の構成により、調節手段による調節内容を記憶手段に記憶する様に構成したことで、調節後に電源を遮断しても調節し直す必要がなく、操作性を向上する事が出来るものである。
【００３８】
そして更に本発明による構成により、光源の輝度を調節することで中間色の色調を調節する様に構成したことで、比較的簡単な回路構成により中間色を調節する事が出来るものである。
【図面の簡単な説明】
【図１】本発明による実施例を示す斜視図である。
【図２】同じく表示手段の実施例を示す斜視図である。
【図３】同じく操作パネルの正面図である。
【図４】同じく制御回路の実施例を示すブロック図である。
【図５】同じく調節手段の実施例を示す回路図である。
【図６】同じくタイムチャートである。
【符号の説明】
３　　誘導加熱コイル
５　　操作パネル（操作部）
１４　表示手段
３８　右コンロ用制御回路
３９　左コンロ用制御回路
４３　メイン用制御回路
５６　インバータ回路
６６　インバータ回路
７４　調節手段
【図１】
2004103286.tif 000003
【図２】
2004103286.tif 000004
【図３】
2004103286.tif 000005
【図４】
2004103286.tif 000006
【図５】
2004103286.tif 000007
【図６】
2004103286.tif 000008